(57)【要約】【課題】メカニカルキー挿入孔を開閉可能としてケーシングに支承されるシャッター板が、マグネットキーによるマグネット錠の解錠時に開き位置に移動することを可能としたシリンダ錠の保護装置において、マグネットキーの一方向操作によってシャッター板を閉じ位置から開き位置に移動させることを可能とする。【解決手段】開き位置側に付勢されるシャッター板２６を閉じ位置に規制する規制位置ならびに規制解除位置間での移動を可能とした規制部材５０がケーシングに配設され、ケーシングにスライド可能に収容されるスライド部材６４が解錠位置までのマグネットキーの挿入操作を可能とするだけでなく解錠位置から押し込み位置までの移動が可能であり、マグネット錠２５の解錠状態でスライド部材６４を押し込み位置まで押し込むのに応じて規制部材５０を規制解除位置に移動させる規制解除手段６７がスライド部材６４および規制部材５０間に設けられる。【選択図】        図８
2015055094.tif 000002
【特許請求の範囲】
【請求項１】
シリンダ錠（１１）にメカニカルキー（１４）を挿入するためのメカニカルキー挿入孔（２７）を有するケーシング（２４）と、前記メカニカルキー挿入孔（２７）を閉じる閉じ位置ならびに前記メカニカルキー挿入孔（２７）を開放する開き位置間で移動することを可能として前記ケーシング（２４）に支承されるシャッター板（２６）と、マグネットキー（１６）による解錠に伴って作動可能な可動部材（５３）を有して前記ケーシング（２４）に配設されるマグネット錠（２５）とを備え、前記マグネット錠（２５）の解錠時に前記シャッター板（２６）が前記開き位置に移動することを可能としたシリンダ錠の保護装置において、前記シャッター板（２６）を前記開き位置側に付勢する付勢部材（４８）と、前記シャッター板（２６）を前記閉じ位置に規制する規制位置ならびに前記閉じ位置から前記開き位置への前記シャッター板（２６）の移動を許容する規制解除位置間での移動を可能として前記ケーシング（２４）に配設される規制部材（５０）と、前記ケーシング（２４）への前記マグネットキー（１６）の挿入に応じて該マグネットキー（１６）とともに移動するようにして前記ケーシング（２４）にスライド可能に収容されるとともに前記マグネット錠（２５）を解錠する解錠位置までの前記マグネットキー（１６）の挿入操作を可能とするだけでなく前記解錠位置から前記マグネットキー（１６）をさらに押し込むことによる押し込み位置までの移動を可能としたスライド部材（６４）と、前記マグネット錠（２５）を解錠して前記可動部材（５３）の作動を可能とした状態で前記マグネットキー（１６）を前記スライド部材（６４）とともに前記押し込み位置まで押し込むのに応じて前記規制部材（５０）を前記規制解除位置に移動させるようにして前記スライド部材（６４）および前記規制部材（５０）間に設けられる規制解除手段（６７）とを備えることを特徴とするシリンダ錠の保護装置。
【請求項２】
前記規制解除手段（６７）は、前記マグネット錠（２５）の鎖錠状態では前記可動部材（５３）で移動が規制されるようにしつつ該可動部材（５３）に係合されて前記スライド部材（６４）に保持される可動係合部材（６８）と、前記スライド部材（６４）の前記押し込み位置側への移動に応じて前記可動部材（５３）を駆動する側に前記可動係合部材（６８）を押圧する弾発力を発揮するようにして前記スライド部材（６４）および前記可動係合部材（６８）間に設けられるばね部材（６９）とを備え、前記可動係合部材（６８）が、前記可動部材（５３）を駆動する側への該可動係合部材（６８）の移動によって前記規制部材（５０）を前記規制位置から前記規制解除位置に移動させるようにして前記規制部材（５０）に係合されることを特徴とする請求項１に記載のシリンダ錠の保護装置。
【発明の詳細な説明】
【技術分野】
【０００１】
本発明は、シリンダ錠にメカニカルキーを挿入するためのメカニカルキー挿入孔を有するケーシングと、前記メカニカルキー挿入孔を閉じる閉じ位置ならびに前記メカニカルキー挿入孔を開放する開き位置間で移動することを可能として前記ケーシングに支承されるシャッター板と、マグネットキーによる解錠に伴って作動可能な可動部材を有して前記ケーシングに配設されるマグネット錠とを備え、前記マグネット錠の解錠時に前記シャッター板が前記開き位置に移動することを可能としたシリンダ錠の保護装置に関する。
【背景技術】
【０００２】
このようなシリンダ錠の保護装置が、たとえば特許文献１で知られている。
【先行技術文献】
【特許文献】
【０００３】
【特許文献１】特許３９１４０４３号公報
【発明の概要】
【発明が解決しようとする課題】
【０００４】
ところが、上記特許文献１で開示されたものでは、マグネットキーをマグネット錠に嵌合して解錠した状態で、マグネットキーを回動操作することによってシャッター板を閉じ位置から開き位置に移動させるようにしており、シャッター板を開く際に、マグネットキーをマグネット錠に嵌合する操作と、それに引き続く回動操作とが必要であって煩雑であり、よりスムーズな操作であることが要求されている。
【０００５】
本発明は、かかる事情に鑑みてなされたものであり、マグネットキーの一方向操作によってシャッター板を閉じ位置から開き位置に移動させ得るようにしたシリンダ錠の保護装置を提供することを目的とする。
【課題を解決するための手段】
【０００６】
上記目的を達成するために、本発明は、シリンダ錠にメカニカルキーを挿入するためのメカニカルキー挿入孔を有するケーシングと、前記メカニカルキー挿入孔を閉じる閉じ位置ならびに前記メカニカルキー挿入孔を開放する開き位置間で移動することを可能として前記ケーシングに支承されるシャッター板と、マグネットキーによる解錠に伴って作動可能な可動部材を有して前記ケーシングに配設されるマグネット錠とを備え、前記マグネット錠の解錠時に前記シャッター板が前記開き位置に移動することを可能としたシリンダ錠の保護装置において、前記シャッター板を前記開き位置側に付勢する付勢部材と、前記シャッター板を前記閉じ位置に規制する規制位置ならびに前記閉じ位置から前記開き位置への前記シャッター板の移動を許容する規制解除位置間での移動を可能として前記ケーシングに配設される規制部材と、前記ケーシングへの前記マグネットキーの挿入に応じて該マグネットキーとともに移動するようにして前記ケーシングにスライド可能に収容されるとともに前記マグネット錠を解錠する解錠位置までの前記マグネットキーの挿入操作を可能とするだけでなく前記解錠位置から前記マグネットキーをさらに押し込むことによる押し込み位置までの移動を可能としたスライド部材と、前記マグネット錠を解錠して前記可動部材の作動を可能とした状態で前記マグネットキーを前記スライド部材とともに前記押し込み位置まで押し込むのに応じて前記規制部材を前記規制解除位置に移動させるようにして前記スライド部材および前記規制部材間に設けられる規制解除手段とを備えることを第１の特徴とする。
【０００７】
また本発明は、第１の特徴の構成に加えて、前記規制解除手段は、前記マグネット錠の鎖錠状態では前記可動部材で移動が規制されるようにして該可動部材に係合されて前記スライド部材に保持される可動係合部材と、前記スライド部材の前記押し込み位置側への移動に応じて前記可動部材を駆動する側に前記可動係合部材を押圧する弾発力を発揮するようにして前記スライド部材および前記可動係合部材間に設けられるばね部材とを備え、前記可動係合部材が、前記可動部材を駆動する側への該可動係合部材の移動によって前記規制部材を前記規制位置から前記規制解除位置に移動させるようにして前記規制部材に係合されることを第２の特徴とする。
【発明の効果】
【０００８】
本発明の第１の特徴によれば、ケーシングにマグネットキーを挿入して該マグネットキーとともにスライド部材を解錠位置まで移動させることでマグネット錠を解錠した後にマグネットキーを押し込み位置までさらに押し込むと、規制解除手段が、付勢部材で開き位置側に付勢されたシャッター板の開き位置への移動を規制している規制部材を規制解除位置に移動させることによって、シャッター板が開き位置に移動することになり、シャッター板を閉じ位置から開き位置に移動させるにあたってはマグネットキーを一方向に押圧操作すればよいので、シャッター板をスムーズな操作で開き位置に移動させることができる。
【０００９】
また本発明の第２の特徴によれば、マグネットキーとともに前記スライド部材が移動することに伴って前記マグネット錠の可動部材に作用する押圧力は、前記スライド部材からばね部材および可動係合部材を介して作用するので、正規のマグネットキー以外の不正部材によって前記スライド部材が押されても、スライド部材からの押圧力がばね部材で吸収されることになり、マグネット錠が鎖錠状態にあることで非作動状態にある可動部材には前記ばね部材のばね荷重しか作用することはなく、マグネット錠に過大な負荷がかかることはない。
【図面の簡単な説明】
【００１０】
【図１】シリンダ錠の保護装置の斜視図である。
【図２】メカニカルキーおよびマグネットキーの斜視図である。
【図３】保護装置の分解斜視図である。
【図４】カバー部材を省略した状態での保護装置の正面図である。
【図５】カバー部材を裏面側から見た斜視図である。
【図６】ボディを図４の６矢視方向から見た図である。
【図７】スライド部材の斜視図である。
【図８】マグネット錠が鎖錠状態にあるときの規制解除手段の状態を示す斜視図である。
【図９】マグネット錠を解錠してマグネットキーを解錠位置から押し込み位置に押し込んだときの規制解除手段の状態を示す斜視図である。
【発明を実施するための形態】
【００１１】
以下、本発明の実施の形態について、添付の図１〜図９を参照しながら説明すると、先ず図１において、イグニッションスイッチのスイッチング態様の切換ならびにステアリングのロック状態およびアンロック状態を切換を可能として、車両たとえば自動二輪車等に用いられるシリンダ錠１１のシリンダボディ１２に保護装置１３が取付けられる。
【００１２】
図２において、前記シリンダ錠１１を解錠操作するためのメカニカルキー１４は、横断面形状を長方形として直線状に延びる携帯ケース１５に収容された状態、ならびに図２で示すように前記携帯ケース１５から突出した状態を切換えることを可能として前記携帯ケース１５の一端部に支持されており、この携帯ケース１５の他端部にマグネットキー１６が設けられる。
【００１３】
前記携帯ケース１５の他端部側面には、正方形の凹部１７と、該凹部１７の中央部に配置される円形突部１８と、前記凹部１７内で前記円形突部１８の周囲に配置される４個の収容凹部１９とが形成されており、４個の前記収容凹部１９のうち選択された３個の収容凹部１９にマグネット２０がそれぞれ収容された状態で、前記円形突部１８を嵌合させる円形孔２１を中央部に有する蓋部材２２を前記凹部１７に嵌合して貼着することで、前記マグネットキー１６が構成される。しかも前記マグネット２０は、そのＮ極およびＳ極のいずれか一方を前記収容凹部１９の外端側に臨ませるようにして前記収容凹部１９に収容される。
【００１４】
図３および図４を併せて参照して、前記保護装置１３は、前記シリンダボディ１２の一端部を覆うケーシング２４と、該ケーシング２４に配設されるマグネット錠２５と、前記ケーシング２４内に収容されるシャッター板２６とを備える。
【００１５】
前記シリンダ錠１１に前記メカニカルキー１４を挿入するためのメカニカルキー挿入孔２７を有する前記ケーシング２４は、前記シリンダボディ１２が結合されるボディ２８と、該ボディ２８を前記シリンダボディ１２とは反対側から覆うようにして前記ボディ２８に締結されるカバー部材２９とから成る。このケーシング２４には、前記メカニカルキー挿入孔２７を閉じる閉じ位置（図４で示す位置）ならびに前記メカニカルキー挿入孔２７を開放する開き位置間で、図４の矢印で示すシャッター板移動方向３０に移動することを可能としたシャッター板２６が支承されており、このシャッター板２６は前記ボディ２８および前記カバー部材２９間に配置される。
【００１６】
図５を併せて参照して、前記カバー部材２９は、前記ボディ２８の前記シリンダ錠１１とは反対側の一部を嵌合させるようにして該ボディ２８を覆うものであり、前記シャッター板移動方向３０と直交する方向に長い略長方形の椀状に形成される。
【００１７】
このカバー部材２９の長手方向中間部で該カバー部材２９の周縁部には、前記シャッター板移動方向３０で相互に対向する第１および第２のボス部２９ａ，２９ｂが一体に形成され、また前記カバー部材２９が有する４つの角部の１つには第３のボス部２９ｃが一体に形成される。一方、前記ボディ２８の外周には、第１〜第３のボス部２９ａ，２９ｂ，２９ｃを当接させる第１〜第３の支持部２８ａ，２８ｂ，２８ｃが一体に形成されており、第１〜第３の支持部２８ａ〜２８ｃに前記シリンダ錠１１側から挿通されるねじ部材３１（図３参照）が第１〜第３のボス部２９ａ〜２９ｃにねじ込まれることによって前記ボディ２８に前記カバー部材２９が締結される。
【００１８】
前記カバー部材２９の裏面への前記ボディ２８の対向面のうち第１〜第３の支持部２８ａ〜２８ｃで囲まれる部分には、前記シャッター板２６を摺接させる摺接支持面３２が形成される。前記メカニカルキー挿入孔２７は、前記シリンダ錠１１内に通じ得るようにして前記摺接支持面３２に開口して前記ボディ２８に設けられる円形の内部孔３３と、該内部孔３３に対応して前記カバー部材２９に設けられる円形の外部孔３４とで構成され、前記シャッター板２６は、前記内部孔３３および前記外部孔３４間に介在することで前記メカニカルキー挿入孔２７を閉じることになる。
【００１９】
前記シャッター板２６は、前記摺接支持面３２に摺接する平板状の蓋部２６ａと、前記シャッター板移動方向３０に沿って延出するようにして前記蓋部２６ａに一体に連設される操作部２６ｂと、第１および第２の支持部２８ａ，２８ｂの中心軸線を通る仮想平面ＰＬ上に位置するようにして前記蓋部２６ａに一体に連設されて前記シャッター板移動方向３０に延びるばね受け部２６ｃとを有するように形成される。
【００２０】
前記蓋部２６ａの前記シャッター板移動方向３０に沿う一端部には、前記内部孔３３および前記外部孔３４の略半周に対応して半円状に形成される切欠き部３５が形成される。この切欠き部３５の形成により、前記シャッター板２６の前記閉じ位置から前記開き位置までの移動量を短くしつつ、後述の第１のガイド突部４３ａおよび押え突部４６による前記蓋部２６ａの両側のガイド長を確保することができる。
【００２１】
また前記操作部２６ｂは、前記切欠き部３５が形成される部分とは反対側の端部で前記蓋部２６ａに一体に連なるものであり、前記蓋部２６ａと面一な平板部分２６ｂａと、該平板部分２６ｂａの先端部中央に一体に形成される短円柱部分２６ｂｂとを有するように形成される。
【００２２】
前記操作部２６ｂに対応する箇所で前記カバー部材２９の周縁部には、前記カバー部材２９の外面側に操作凹部３６を形成するようにして前記ボディ２８側に膨らんだ横断面半円形状の突部２９ｄが一体に設けられており、前記シャッター板２６が前記閉じ位置に在る状態で前記操作部２６ｂの先端部を臨ませるようにして該操作部２６ｂの横断面形状に対応した形状を有するように形成される透孔３７が、前記操作凹部３６に対応して前記カバー部材２９に設けられ、前記シャッター板２６が前記開き位置に移動したときに前記操作部２６ｂの先端部は前記操作凹部３６に突出する。
【００２３】
前記ばね受け部２６ｃは、前記蓋部２６ａの前記仮想平面ＰＬ側の側部に一体に連設されており、このばね受け部２６ｃの一端は、前記シャッター板移動方向３０に沿う前記蓋部２６ａの中間部に対応する位置に配置され、ばね受け部２６ｃの他端は、前記シャッター板移動方向３０に沿う前記操作部２６ｂの中間位置に対応して配置される。
【００２４】
ところで前記ボディ２８には、前記仮想平面ＰＬに関して前記摺接支持面３２と反対側の部分で、前記カバー部材２９の裏面に対向するようにして開口する有底のスライド支持孔３８が、前記シャッター板移動方向３０に沿う方向を長手方向とした略長方形の横断面形状を有するようにして設けられ、前記カバー部材２９には、前記スライド支持孔３８に対応した略長方形状の挿入孔３９が設けられる。
【００２５】
図３に注目して、前記カバー部材２９の裏面には、前記挿入孔３９を閉じる蓋部材４０が支軸４１を介して回動可能に支承されており、この蓋部材４０はばね４２によって閉じ側に付勢される。
【００２６】
前記カバー部材２９の裏面には、該カバー部材２９の裏面への前記ボディ２８の対向面の外周部に当接するリブ４３が、前記突部２９ｄに対応する部分を除いて前記外部孔３４および前記挿入孔３９を囲むように配置されつつ一体に突設される。
【００２７】
前記シャッター板２６における前記蓋部２６ａの前記ばね受け部２６ｃとは反対側の側面には前記リブ４３の一部を構成しつつ前記シャッター板移動方向３０に沿って延びる第１のガイド突部４３ａが摺接され、前記シャッター板２６における前記ばね受け部２６ｃの外側面には前記シャッター板移動方向３０に沿って長く延びるようにして前記カバー部材２９の裏面に突設される第２のガイド突部４４が摺接される。また前記シャッター板２６において前記蓋部２６ａの前記ばね受け部２６ｃ側の側端部には、前記カバー部材２９の裏面に対向して開口する溝４５が前記シャッター板移動方向３０に沿って延びるように形成されており、前記カバー部材２９の裏面には、前記溝４５に嵌合する押え突部４６が、前記シャッター板移動方向３０に沿って長く延びるようにして一体に突設される。すなわち前記シャッター板２６の前記シャッター板移動方向３０に沿う移動は、第１のガイド突部４３ａ、第２のガイド突部４４および押え突部４６によってガイドされる。
【００２８】
また前記カバー部材２９の裏面への前記ボディ２８の対向面において前記スライド支持孔３８の外側方に位置する部分には、前記カバー部材２９の裏面の前記リブ４３の内方で前記カバー部材２９の裏面に当接する支持突部２８ｄが一体に突設される。
【００２９】
前記シャッター板２６におけるばね受け部２６ｃの一端に対向するばね受け座４７が、第２のガイド突部４４および前記押え突部４６間に配置されるようにして前記カバー部材２９に設けられており、前記シャッター板２６を前記開き位置側に付勢する付勢部材である第１のコイルばね４８が、前記ばね受け座４７と、前記ばね受け部２６ｃの一端との間に縮設される。
【００３０】
前記シャッター板２６が前記閉じ位置に在る状態で、該シャッター板２６の前記開き位置側への移動は、前記シャッター板２６におけるばね受け部２６ｃの他端に規制部材５０が当接することによって規制される。この規制部材５０は、閉じ位置に在る前記シャッター板２６の前記ばね受け部２６ｃの他端に当接して前記シャッター板２６を閉じ位置に規制する規制位置と、前記ばね受け部２６ｃの他端への当接を解除して前記閉じ位置から前記開き位置への前記シャッター板２６の移動を許容する規制解除位置と間で移動することを可能として、前記ケーシング２４における前記ボディ２８に配設される。
【００３１】
前記規制部材５０は、前記ばね受け部２６ｃの他端に当接可能な当接部５０ａと、その当接部５０ａに一端部が連設されて前記スライド支持孔３８が延びる方向と平行に延出される棒状部５０ｂと、該棒状部５０ｂの他端部に直角に連設される係止部５０ｃとを一体に有するように形成され、前記ボディ２８には、前記係止部５０ｃを前記スライド支持孔３８側に突出させるようにして前記規制部材５０を移動可能に嵌合させる有底の規制部材嵌合孔５１が、前記摺接支持面３２に開口するとともに前記スライド支持孔３８の前記シャッター板２６側の側面に開口するようにして設けられ、その規制部材嵌合孔５１の閉塞端および前記規制部材５０の前記棒状部５０ｂ間には、前記規制部材嵌合孔５１に収容される第２のコイルばね５２が、前記規制部材５０を前記規制位置側に付勢するばね力を発揮するようにして縮設される。
【００３２】
前記シャッター板２６の前記閉じ位置から前記開き位置へのスライド作動は、前記ケーシング２４の前記ボディ２８に配設されるマグネット錠２５を前記マグネットキー１６で解錠することによって可能となるものであり、このマグネット錠２５は、前記ケーシング２４の前記ボディ２８で回動可能に支承される作動部材としてのロータ５３を備える。
【００３３】
前記ロータ５３は、円形の皿状部５３ａと、該皿状部５３ａの開口端から半径方向外方に張り出す鍔部５３ｂと、その鍔部５３ｂの周方向１箇所から外側方に延びる連結腕部５３ｃと、該連結腕部５３ｃの外端から前記皿状部５３ａと同一側に突出する係合突部５３ｄとを一体に有し、非磁性材料によって形成される。
【００３４】
図６において、前記ケーシング２４の前記ボディ２８には、前記ロータ５３の鍔部５３ｂおよび前記連結腕部５３ｃを回動可能に嵌合させる嵌合凹部５４と、該嵌合凹部５４に外端を開口するとともに前記スライド支持孔３８の前記シャッター板２６とは反対側の側面に内端を開口させて前記ロータ５３の前記皿状部５３ａを回動可能に嵌合する円形の嵌合孔５５と、前記係合突部５３ｄが挿入されるようにして前記嵌合凹部５４に外端を開口するとともに前記スライド支持孔３８の前記シャッター板２６とは反対側の側面に内端を開口させた長孔５６とが設けられており、前記長孔５６は、前記嵌合凹部５４および前記嵌合孔５５内での前記ロータ５３の回動を許容するようにして該ロータ５３の回動軸線を中心とした円弧状に形成される。
【００３５】
前記嵌合凹部５４は、前記ロータ５３の前記皿状部５３ａ内に嵌合して前記ロータ５３の回動を支持する支持突部５７ａを一体に有するとともに３つのねじ部材５８で前記ボディ２８に締結される蓋部材５７で閉じられており、前記支持突部５７ａの基部および前記ロータ５３間にＯリング５９が介装される。
【００３６】
前記支持突部５７ａの先端部には、マグネットから成る複数個たとえば３個のピン６０が前記ロータ５３における前記皿状部５３ａの閉塞端内面に設けられる４つの係止凹部６２のうちの３つに係合する位置ならびにその係合を解除する位置間での移動を可能として摺動可能に嵌合されており、各ピン６０は、個別に対応した第３のコイルばね６１によって前記ロータ５３に係合する側に弾発付勢される。
【００３７】
３つの前記ピン６０は、前記ロータ５３における前記皿状部５３ａの閉塞端外面に、前記マグネットキー１６が対向配置されたときに、該マグネットキー１６が有する３つのマグネット２０に対応する位置に配置されるようにして前記係止凹部６２に嵌合される。しかも前記マグネットキー１６における前記マグネット２０の前記マグネット錠２５側の極と同一極が係止凹部６２の内端側に配置されるようにして、前記ピン６０が配置されており、前記ロータ５３における前記皿状部５３ａの閉塞端外面に対向する位置に正規のマグネットキー１６を配置することで第３のコイルばね６１の弾発付勢力に抗して前記ピン６０を前記ロータ５３との係合を解除する側に移動させることができ、それによって前記ロータ５３の回動が許容されることになる。
【００３８】
図７を併せて参照して、前記ケーシング２４における前記ボディ２８の前記スライド支持孔３８には、前記ケーシング２４への前記マグネットキー１６の挿入に応じて該マグネットキー１６とともに移動するスライド部材６４がスライド可能に収容される。
【００３９】
このスライド部材６４は、前記スライド支持孔３８の前記シャッター板２６側の側面に摺接する第１側壁部６４ａと、前記スライド支持孔３８の前記シャッター板２６とは反対側の側面に摺接するようにして第１側壁部６４ａに対向する第２側壁部６４ｂと、前記スライド支持孔３８の横断面形状における長手方向一端側で第１および第２側壁部６４ａ，６４ｂ間を連結する第１連結壁部６４ｃと、前記スライド支持孔３８の横断面形状における長手方向他端側で第１および第２側壁部６４ａ，６４ｂ間を連結して第１連結壁部６４ｃに対応する第２連結壁部６４ｄと、前記スライド支持孔３８の内端側で第１側壁部６４ａ、第２側壁６４ｂ、第１連結壁部６４ｃおよび第２連結壁部６４ｄを連結する端壁部６４ｅとを一体に有するように形成され、このスライド部材６４には、前記蓋部材４０を開けて前記カバー部材２９の挿入孔３９から前記携帯ケース１５とともに挿入されるマグネットキー１６を挿入するための有底のマグネットキー挿入孔６５が、略矩形の横断面形状を有するようにして形成される。
【００４０】
前記マグネットキー挿入孔６５に前記マグネットキー１６とともに挿入される前記携帯ケース１５の先端部は、前記端壁部６４ｅに当接されるものであり、前記携帯ケース１５とともに前記マグネットキー１６を押し込むことで前記スライド部材６４は前記スライド支持孔３８内をスライド移動する。しかもこのスライド部材６４の第１および第２連結壁部６４ｃ，６４ｄと、前記スライド支持孔３８の閉塞端との間には、第４のコイルばね６６がそれぞれ縮設されており、前記スライド部材６４は前記カバー部材２９に近接する側にばね付勢されている。
【００４１】
前記スライド部材６４の第２側壁部６４ｂには、前記マグネットキー挿入孔６５に挿入されたマグネットキー１６を前記マグネット錠２５側に臨ませる窓６７が前記スライド支持孔３８の延出方向に沿って長い楕円形状に形成されており、前記スライド部材６４は、前記マグネットキー１６の挿入に応じて該マグネットキー１６とともに移動することで前記マグネット錠２５におけるロータ５３の閉塞端外面に前記マグネットキー１６を対向させることで該マグネット錠２５を解錠する解錠位置までの前記マグネットキー１６の挿入操作を可能とするだけでなく、前記解錠位置から前記マグネットキー１６をさらに押し込むことによる押し込み位置までの移動が可能である。
【００４２】
図８において、前記スライド部材６４および前記規制部材５０間には、前記マグネット錠２５を解錠して前記ロータ５３の回動を可能とした状態で前記マグネットキー１６を前記スライド部材６４とともに前記押し込み位置まで押し込むのに応じて、前記規制部材５０を前記規制解除位置に移動させる規制解除手段６７が設けられる。
【００４３】
前記規制解除手段６７は、前記マグネット錠２５の鎖錠状態では前記ロータ５３で移動が規制されるようにしつつ該ロータ５３の前記係合突部５３ｄに係合されて前記スライド部材６４に保持される可動係合部材６８と、前記スライド部材６４の前記押し込み位置側への移動に応じて前記ロータ５３を回動駆動する側に前記可動係合部材６８を押圧する弾発力を発揮するようにして前記スライド部材６４および前記可動係合部材６８間に設けられるばね部材としての第５のコイルばね６９とを備える。
【００４４】
前記可動係合部材６８は、前記係合腕部５３ｄを係合させる係止溝７０を有して前記ロータ５３の前記連結腕部５３ｃ側に開放した略Ｃ字状に形成される可動係合部材主部６８ａと、前記規制部材５０の前記係止部５０ｃに前記当接部５０ａ側から係合するようにして前記可動係合部材主部６８ａから突出される係合突部６８ｂとを一体に有するように形成され、第１のコイルばね６９の可動係合部材６８側の端部を受けるための円形の受け凹部７２が前記可動係合部材主部６８ａに形成される。一方、前記スライド部材６４の第２連結壁部６４ｄには、前記規制部材５０の前記係止部５０ｃならびに前記ロータ５３の前記係合腕部５３ｄを両側から突入させる収容孔７１が、前記スライド支持孔３８の前記シャッター板２６側の側面ならびに前記シャッター板２６とは反対側の側面に向かって開口しつつ、前記スライド支持孔３８の延出方向両端を閉じるようにして設けられており、前記可動係合部材６８は該収容孔７１内に収容される。
【００４５】
また前記収容孔７１には、前記スライド部材６４の前記スライド支持孔３８内での押し込み作動方向と同一方向に前記可動係合部材６８を付勢するばね力を発揮する第５のコイルばね６９が、前記スライド部材６４および前記可動係合部材６８間に縮設されつつ、前記収容孔７１に収容される。
【００４６】
正規のマグネットキー１６を前記スライド部材６４に挿入して押し込むと、解錠位置で前記マグネット錠２５が解錠することで前記ロータ５３の回動が許容されることになり、前記携帯ケース１５とともに前記マグネットキー１６および前記スライド部材６４を前記解錠位置からさらに押し込むと、スライド部材６４の移動による押圧力が第５のコイルばね６９および前記可動係合部材６８を介して前記ロータ５３の連結腕部５３ｃに伝達され、図９で示すように、前記可動可動係合部材６８が移動するとともにロータ５３が回動し、可動係合部材６８が係合している前記規制部材５０が規制解除位置に強制的に駆動され、規制部材５０による規制が解除された前記シャッター板２６が第１のコイルばね４８の付勢力で開き位置に移動することになる。
【００４７】
前記シャッター板２４が前記開き位置にある状態で、前記シャッタ板２６が備える前記操作部２６ｂの先端部は前記ケーシング２４におけるカバー部材２９の操作凹部３６に突出する。そこで、マグネットキー１６をケーシング２４から離脱させた状態で、開き位置にある前記シャッター板２６の前記操作部２６ｂを押し込むと、前記シャッター板２６は、第１のコイルばね４８のばね力に抗して前記閉じ位置に戻ることになり、前記規制部材５０は、第２のコイルばね５２のばね力によって前記規制位置に戻ることになり、前記マグネット錠２５は、前記ロータ５３が元の位置に回動することで鎖錠状態となる。
【００４８】
次にこの実施の形態の作用について説明すると、シリンダ錠１１にメカニカルキー１４を挿入するためにケーシング２４に設けられるメカニカルキー挿入孔２７をシャッター板２６で開閉するようにした保護装置１３が、前記シャッター板２６を前記開き位置側に付勢する第１のコイルばね４８と、前記シャッター板２６を前記閉じ位置に規制する規制位置ならびに前記閉じ位置から前記開き位置への前記シャッター板２６の移動を許容する規制解除位置間での移動を可能として前記ケーシング２４に配設される規制部材５０と、前記ケーシング２４へのマグネットキー１６の挿入に応じて該マグネットキー１６とともに移動するようにして前記ケーシング２４にスライド可能に収容されるとともにマグネット錠２５を解錠する解錠位置までのマグネットキー１６の挿入操作を可能とするだけでなく前記解錠位置から前記マグネットキー１６をさらに押し込むことによる押し込み位置までの移動を可能としたスライド部材６４と、前記マグネット錠２５を解錠して該マグネット錠２５のロータ５３の回動を可能とした状態で前記マグネットキー１６を前記スライド部材６４とともに前記押し込み位置まで押し込むのに応じて前記規制部材５０を前記規制解除位置に移動させるようにして前記スライド部材６４および前記規制部材５０間に設けられる規制解除手段６７とを備えるので、シャッター板２６を閉じ位置から開き位置に移動させるにあたってはマグネットキー１６を一方向に押圧操作すればよく、シャッター板２６をスムーズな操作で開き位置に作動させることができる。
【００４９】
しかも前記規制解除手段６７は、前記マグネット錠２５の鎖錠状態では前記ロータ５３で移動が規制されるようにしつつ該ロータ５３に係合されて前記スライド部材６４に保持される可動係合部材６８と、前記スライド部材６４の前記押し込み位置側への移動に応じて前記ロータ５３を回動駆動する側に前記可動係合部材６８を押圧する弾発力を発揮するようにして前記スライド部材６４および前記可動係合部材６８間に設けられる第５のコイルばね６９とを備え、前記可動係合部材６８が、前記ロータ５３を回動駆動する側への該可動係合部材６８の移動によって前記規制部材５０を前記規制位置から前記規制解除位置に移動させるようにして前記規制部材５０に係合されるので、マグネットキー１６とともに前記スライド部材６４が移動することに伴って前記マグネット錠２５のロータ５３に作用する押圧力は、前記スライド部材６３から第５のコイルばね６９および可動可動係合部材６８を介して作用することになり、正規のマグネットキー１６以外の不正部材によって前記スライド部材６４が押されても、スライド部材６４からの押圧力が第５のコイルばね６９で吸収されるので、マグネット錠２５が鎖錠状態にあることで非作動状態にある前記ロータ５３には第５のコイルばね６９のばね荷重しか作用することはなく、マグネット錠２５に過大な負荷がかかることはない。
【００５０】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００５１】
１１・・・シリンダ錠
１３・・・保護装置
１４・・・メカニカルキー
１６・・・マグネットキー
２４・・・ケーシング
２５・・・マグネット錠
２６・・・シャッター板
２７・・・メカニカルキー挿入孔
４８・・・付勢部材である第１のコイルばね
５０・・・規制部材
５３・・・可動部材であるロータ
６４・・・スライド部材
６７・・・規制解除手段
６８・・・可動係合部材
６９・・・ばね部材である第５のコイルばね
【図１】
2015055094.tif 000003
【図２】
2015055094.tif 000004
【図３】
2015055094.tif 000005
【図４】
2015055094.tif 000006
【図５】
2015055094.tif 000007
【図６】
2015055094.tif 000008
【図７】
2015055094.tif 000009
【図８】
2015055094.tif 000010
【図９】
2015055094.tif 000011